(57)【特許請求の範囲】
【請求項１】
相変化インク材料で形成されたインクスティックであって、
相変化インク画像形成装置のインクローダの中に挿入方向において挿入されるように、及び、供給方向において前記インクローダに供給するように構成されたインクスティック本体を含み、
前記インクスティック本体は、前記挿入方向に対して実質的に垂直な平面に挿入周縁部と、前記供給方向と位置合わせするための縦方向寸法とを有しており、前記挿入周縁部は、前記インクスティック本体の上面及び底面の間に延在する複数の側面によって形成されており、
前記挿入方向に対して実質的に平行な方向に、前記インクスティック本体に沿って少なくとも部分的に延びる前記インクスティック本体の前記挿入周縁部の少なくとも１つの側面上の第１の位置に形成された記号の外形を含み、
前記記号の外形は、視覚的に認識可能な記号の形状の周縁部の一部を定め、前記記号の外形は、同様に前記挿入周縁部の一部を形成する少なくとも１つの側面の残りの部分が視覚的に認識可能な記号の形状の一部を形成しない特徴と共に形成されるように、前記インクスティックの前記挿入周縁部の少なくとも１つの側面の一部だけを占め、
ていることを特徴とするインクスティック。
【請求項２】
前記視覚的に認識可能な記号形状は英数字を含むことを特徴とする請求項１に記載のインクスティック。
【請求項３】
前記記号の外形は、第１の横方向周縁部セグメントに形成された視覚的に認識可能な記号の外形の第１部分と共に、及び、対向する横方向周縁部セグメントに形成された視覚的に認識可能な記号の外形の第２部分と共に、対向する横方向周縁部セグメントに形成され、前記視覚的に認識可能な記号の外形の第１部分及び第２部分は、第１の周縁部セグメント及び対向する周縁部セグメントにおいて挿入周縁部の一部のみを占めて、第１の周縁部セグメント及び対向する周縁部セグメントの残りの部分が、視覚的に認識可能な記号の形状の部分を形成しない特徴と共に形成されている、請求項２に記載のインクスティック。
【請求項４】
前記インクスティック本体の上面は、視覚的に認識可能な記号の形状の残りの部分と共にエンボス加工されている、請求項２に記載のインクスティック。
【請求項５】
前記インクスティック本体の上面は、視覚的に認識可能な記号の形状の残りの部分と共にデボス加工されている、請求項２に記載のインクスティック。
【請求項６】
更に、前記インクスティック本体の挿入周縁部の少なくとも１つの側面の第２位置に形成された非記号的キーの外形を有している、請求項２に記載のインクスティック。
【請求項７】
相変化インク撮像装置と共に使用する一組のインクスティックであって、
それぞれが上面、底面、及び上面と底面の間に延在する複数の側面を有する第１、第２、第３、第４のインクスティックを備え、ここで、前記複数の側面は、インクスティック本体の周縁部を定義し、前記周縁部は、先端周縁セグメント、後端周縁セグメント、及び、前記先端周縁セグメントと後端周縁セグメントの間に延在する一対の横方向周縁セグメントを含んでおり、第１、第２、第３、第４のインクスティックそれぞれは、相変化インク撮像装置のインクローダの給送方向と整列させるための、先端周縁セグメントと後端周縁セグメントの間に延びる縦軸を有しており、
前記第１、第２、第３、第４のインクスティックそれぞれは、横方向周縁セグメントの少なくとも１つの記号位置に形成された記号の外形を含んでおり、前記記号の外形は、前記インクスティック本体の実質的に上面に向かう方向で見られる視覚的に認識可能な記号の形状の周縁部の一部を定義し、前記記号の外形は前記上面から少なくとも部分的に底面に向かって延びていると共に前記縦軸に平行な方向において前記横方向周縁セグメントの少なくとも１つの一部に沿って延びており、これにより、同様に挿入周縁部の一部を形成する横方向周縁セグメントの少なくとも１つの残りの部分が、視覚的に認識可能な記号の形状の一部を形成しない特徴と共に形成されることができ、
前記第１のインクスティックは第１の色であって第１の視覚的に認識可能な記号の形状の周縁部の一部を定義する第１の記号の外形を有しており、前記第２のインクスティックは第２の色であって第２の視覚的に認識可能な記号の形状の周縁部の一部を定義する第２の記号の外形を有しており、前記第３のインクスティックは第３の色であって第３の視覚的に認識可能な記号の形状の周縁部の一部を定義する第３の記号の外形を有しており、前記第４のインクスティックは第４の色であって第４の視覚的に認識可能な記号の形状の周縁部の一部を定義する第４の記号の外形を有している、
ことを特徴とする一組のインクスティック。
【請求項８】
相変化インク撮像装置において使用するインクスティックであって、
上面、底面、そして前記上面及び底面の間に延在する複数の側面を含むインクスティック本体を備え、
前記複数の側面は、インクスティック本体の周縁部を定義し、前記周縁部は、先端周縁セグメント、後端周縁セグメント、そして前記先端周縁セグメントと後端周縁セグメントの間に延在する横方向周縁セグメントを含み、前記インクスティック本体は、前記先端周縁セグメントと後端周縁セグメントとの間に延びる、相変化インク撮像装置のインクローダの給送方向と整列させるための縦軸を有し、
前記周縁部の第１の位置における一対の横方向周縁セグメントの少なくとも一方に形成された記号の外形を備え、
前記記号の外形は、前記インクスティック本体の実質的に上面に向かう方向で見られる視覚的に認識可能な記号の形状の周縁部の一部を定義し、前記記号の外形は、上面から少なくとも部分的に底面に延びていると共に前記少なくとも１つの横方向周縁セグメントの一部のみに沿って延び、これにより、同様に挿入周縁部の一部を形成する横方向周縁セグメントの少なくとも１つの残りの部分が、視覚的に認識可能な記号の形状の一部を形成しない特徴と共に形成されることができ、そして、
少なくとも１つの横方向周縁セグメントの残りの部分において形成された少なくとも１つのキーの外形を備えていることを特徴とするインクスティック。
【請求項９】
前記視覚的に認識可能な記号は英数字を含むことを特徴とする請求項８に記載のインクスティック。
【請求項１０】
前記視覚的に認識可能な記号は、相変化インク撮像装置に組み込まれる視覚的に認識可能な記号に対応するものである請求項９に記載のインクスティック。
【発明の詳細な説明】
【技術分野】
【０００１】
本開示は、一般に、相変化インクジェットプリンタに関し、具体的には、そのようなインクジェットプリンタで用いられる固形インクスティックに関する。
【背景技術】
【０００２】
固形インク又は相変化のインクプリンタは、通常、ペレット又はインクスティックのいずれかで、固形形態のインクを受け取る。固形インクのペレット又はインクスティックは、典型的には、プリンタのインクローダの挿入開口部を通して挿入され、インクスティックは、供給機構及び／又は重力により、供給チャネルに沿って、ヒータ・アセンブリにおけるヒータ・プレートの方向に押し込まれる又は滑らされる。ヒータ・プレートは、プレートに衝突する固形インクを溶融して液体にし、その液体は、記録媒体上に噴射するためにプリントヘッドに送給される。
【０００３】
固形インク技術が直面する１つの問題は、インクスティックの正確な搭載を識別及び認証すること、及びインクスティックとこれが用いられる画像装置との適合性である。例えば、インクスティックの固体形態は、粉末又は液体のマーキング材料とは異なり、液体インク又は粉末トナーに典型的に必要とされるコンテナ又はカートリッジなしで、インクスティックを取り扱い、相変化インクプリンタに搭載できるようにする。加えて、インクスティック全体は、どのコンテナも処分又は再利用する必要なく、溶融され消費されることができる。コンテナの必要性をなくすことは、インクスティックの使用に多くの利点を与える。しかしながらコンテナ又はカートリッジは、そこに収容されるインクを識別及び／又は認証するのに用いることができる電子タグ、バーコード等を備えることができる。コンテナの使用なしでは、インクスティックを認証するための、或いは識別するための機構が制限されることになる。
【０００４】
目的とする供給チャネルにインクスティックが正確に搭載されるようにインクスティックの認証及び／又は識別を可能にするために、及び、インクスティックが用いられるプリンタと適合性があることを保証するために、備えが為されてきた。１つの備えは、一般的には、間違った色又は適合性のないインクスティックが、プリンタの供給チャネルに挿入されないようにすることに向けられる。例えばインクスティックの正確な搭載は、インクスティックの外面にキーイング特徴を組み入れることにより、達成される。これらの特徴は、インクスティック上の異なる位置に配置される突起又はくぼみである。
【０００５】
顧客がインクスティックを識別するのをさらに補助するために、既知のインクスティックには、インクスティックの表面に、又はインクスティック自体の形状としてのいずれかに、視覚的に認識可能な記号が組み込んである。視覚的に認識可能な記号は、インクスティックを特定のキー付き開口部又は供給チャネルに関連付けるときに用いることができる意味をプリンタのオペレータに与える形状である。プリンタ・オペレータは、記号的な意義をもたないキー付き形状を相関させるより容易に、視覚的に認識可能な記号を特定の供給チャネルと相関させることができる。
【０００６】
視覚的に認識可能な記号を組み込む既知のインクスティックは、しかしながら一般的には、立方体の形状、又はインクスティックの幅寸法と実質的には違わない縦方向寸法を有するものであった。出現しつつある相変化インクジェット技術は、固形インク画像を生成する時間を減少させ、結果として、高いインク消費速度を有する。故に、大容量の固形インク送給システムが考案された。非線形の供給チャネルを有する固形インク送給システムの増加された容量は、より大きい長さ対幅のアスペクト比を有するインクスティックの開発と使用を促した。“より長い”インクスティックの使用は、インク送給システムにおける固形インクが補充されなくてはならない頻度を少なくする。一般的により大きなサイズのインクスティック、具体的には、インクスティックのより長い縦方向すなわち長さ寸法は、しかしながら、インクスティックの表面又は周縁部形状のほとんど又は全てを包含する視覚的に認識可能な記号を、認識不可能にすることがある。
【発明の概要】
【発明が解決しようとする課題】
【０００７】
インクスティックのサイズ及びアスペクト比により呈される困難に取り組む相変化インク画像形成装置で用いるためのインクスティックが開発され、これらの形状をスティックの全体的なサイズより小さくなるように適用することにより、記号形状を組み込むことを可能にする。独特な記号形状を備えたインクスティックの組は、インクスティック周縁部の形態に組み込まれて、その形状は、インクスティックが目的とされる適切な色のチャネルを識別することを補助するが、キーイングの区別に寄与することもあり又は寄与しないこともある。
【課題を解決するための手段】
【０００８】
１つの実施形態では、インクスティックは、相変化インク画像形成装置のインクローダの中に挿入方向において挿入するように、及びインクローダの供給方向においてインクローダに供給するように構成されたインクスティック本体を含む。インクスティック本体は、挿入方向に対して実質的に垂直な平面に挿入周縁部を有し、供給方向と位置合わせされた縦方向寸法を有する。記号の外形は、挿入方向に対して実質的に平行な方向に、インクスティック本体に沿って少なくとも部分的に延びる、インクスティック本体の挿入周縁部上にある第１の位置に形成される。記号の外形は、視覚的に認識可能な記号の形状の周縁部の一部を定める。記号の外形は、インクスティック本体の縦方向寸法におけるインクスティックの挿入周縁部に沿って最大限で部分的に延びる。少なくとも１つのキー外形が、挿入方向に対して実質的に平行な方向に、インクスティック本体に沿って少なくとも部分的に延びる、インクスティック本体の周縁部上にある第２の位置に形成される。少なくとも１つのキー外形は、インクスティック本体のインクの色に対応する。
【図面の簡単な説明】
【０００９】
【図１】相変化インク画像形成装置のブロック図である。
【図２】インクローダを備えた、不完全な相変化インク画像形成装置の実施形態の拡大部分平面斜視図である。
【図３】インクスティックの周縁部に部分的に組み込まれた視覚的に認識可能な記号を備えた、固形インクスティックの１つの実施形態の斜視図である。
【図４】各々が連続する番号の形態で視覚的に認識可能な記号を含む図３のインクスティックを含む一組のインクスティックの平面図である。
【図５】各々がインクスティックの色を示す文字の形態で視覚的に認識可能な記号を含む一組のインクスティックの平面図である。
【図６】視覚的に認識可能な記号形状の周縁部分を定める記号の外形がインクスティックの片側にだけ形成される、一組のインクスティックの平面図である。
【図７】視覚的に認識可能な記号がインクスティックの縦方向寸法に沿った異なる位置に形成される、一組のインクスティックの平面図である。
【図８】各々が多数の視覚的に認識可能な記号を含む、複数のインクスティックの平面図である。
【図９】挿入開口部に隣接して相補的な視覚的認識可能な記号を含む、画像形成装置の挿入ステーションを表す実施形態である。
【発明を実施するための形態】
【００１０】
本実施形態の一般的な解釈のために、図面が参照される。図面では、全体を通して、同じ参照番号が同じ要素を示すように用いられる。ここに用いられるように、“プリンタ”という用語は、例えばプリンタ、ファクシミリ機器、コピー機といった一般的な再現装置及び関連多機能製品を指し、“印刷ジョブ”という用語は、例えば、再現される電子項目を含む情報を示す。インクカートリッジ又はハウジングからプリントヘッドへのインク送給又は移送に関する説明は、一連の溶融装置、中間接続部、チューブ、マニホルド、及び／又は、印刷システムに含まれることができるが、本発明に直ちに重要ではない他の構成部品及び／又は機能を包含することが意図される。
【００１１】
ここで図１を参照すると、相変化インク画像形成装置１０の実施形態のブロック図が示される。画像形成装置１０は、固形インクスティックを受け取って格納するインク供給源１４を有する。インク溶融ユニット１８は、その溶融点より上にインクスティックを加熱して液化インクを生成する。溶融したインクは、重力、ポンプ作用、又は両方により、プリントヘッド組立体に供給される。画像形成装置１０は、直接印刷装置又はオフセット印刷装置とすることができる。直接印刷装置では、インクは、記録媒体の表面に直接、プリントヘッド２０により放出されることができる。
【００１２】
図１の実施形態は、間接すなわちオフセット印刷装置を表す。オフセット・プリンタでは、インクは、ドラムの形態で示されるが支持エンドレス・ベルトの形態で示されることもできる転写表面２８上に放出される。画像転写プロセスを容易にするために、加圧ローラ３０は、ドラム２８上のインクに対して媒体３４を押しつけ、ドラム２８から媒体３４へとインクを転写する。
【００１３】
機械又はプリンタ１０の種々のサブシステム、構成部品及び機能の動作及び制御は、コントローラ３８の助けにより実行される。例えばコントローラ３８は、セントラル・プロセッサ・ユニット（ＣＰＵ）、電子格納部、及びディスプレイ又はユーザ・インターフェース（ＵＩ）を有するマイクロ・コントローラとすることができる。コントローラは、スキャナ又はコンピュータといった画像ソース４０と、プリントヘッドアセンブリ２０といった画像形成システムとの間の画像データ・フローを読み取り、捕捉し、準備し、及び管理する。コントローラ３８は、機械の印刷動作を含む他の機械のサブシステム及び機能の全てを、動作させる及び制御するための主要なマルチタスク・プロセッサであり、従って、これらの種々のシステムを制御するために必要なハードウェア、ソフトウェア、その他を含む。
【００１４】
ここで図２を参照すると、装置１０は、オペレーティング・システム及び構成部品が、直接又は間接的に取り付けられたフレーム４４を含む。固形インク送給システム４８は、搭載ステーション５０から溶融ステーション５４へと、インクスティックを進める。溶融ステーション５４は、固形インクスティックを溶融し、液体インクをプリントヘッド・システム（図示せず）に供給するように構成される。固形インクの全ての形態は、インクスティック又は簡単にインク又はスティックと呼ばれる。インク送給システム４８は、複数のチャネル又はシュート５８を含む。別個のチャネル５８は、４つの色、すなわちシアン、マゼンタ、ブラック及びイエローの各々のために用いられる。
【００１５】
搭載ステーションは、キー付き開口部６０を含む。各々のキー付き開口部６０は、インク送給システムの個別供給チャネルの１つへのアクセスを制限する。キー付き開口部６０は、開口部６０のキー構造に適合するキー要素を有するインクスティックのみを受け入れるように構成される。従って、キー付き開口部６０は、チャネルに挿入されたインクスティックを、色、インク組成等といった特定の構成に制限するのを助ける。
【００１６】
画像形成装置１０内の空間をより良好に使用するために、供給チャネル５８は、搭載ステーション５０から溶融ステーション５４へインクスティックを送給するための、何らかの好適な経路を有することができる。例えば、供給チャネル５８は、他の構成部品に空間を与え、かつ依然として搭載ステーション５０から溶融ステーション５４へとインクスティックを送給するために、必要に応じて線形及び曲線状の区分を有することができる。供給経路の弧状部分は、短くてもよいし、又は経路長さの実質的な部分であってもよい。シュートの全長は弧状とすることができ、異なる又は可変の半径から成るものであってよい。供給経路の線形部分は、同様に、短くてもよいし、又は経路長さの実質的な部分であってもよい。
【００１７】
示された固形インク送給システム４８は、それぞれの供給チャネル５８における供給経路に沿って、１つ又はそれ以上のインクスティック６８を移動させるための駆動部材（図示せず）を含む。別個の駆動部材を、それぞれの供給チャネルに与えることができる。各インク・カラーのための供給チャネル５８は、望ましい供給経路に沿ってインクが進むように、各インクを保持し、誘導する。駆動部材が使用される場合には、どのような好適なサイズ及び形状を有してもよい。駆動部材は、供給経路の全て又は一部にわたってインクを移送するのに用いることができ、インクに対する支持又は誘導を提供することができ、供給経路の全て又は一部にわたり一次インク・ガイドとなることができる。
【００１８】
インクスティックは、多くの形態をとることができる。インク送給システムで用いるための１つの例示的な固形インクスティック１００が、図３に図解される。インクスティックは、底面１３８及び上面１３４を有する。図示される特定の底面１３８及び上面１３４は、他の外形及び相対関係を取ることができるが、実質的には互いに平行である。さらに、インクスティック本体の表面は平らである必要はなく、互いに平行又は垂直である必要もない。インクスティック本体はまた、横方向側面１４０、１４４、及び端面１４８、１５０といった、複数の側面先端部を有する。側面１４０及び１４４は、実質的に互いに平行であり、上面及び底面１３４、１３８に対して実質的に垂直である。端面１４８、１５０もまた基本的には、実質的に互いに平行であり、上面及び底面、及び横方向側面に対して実質的に垂直である。端面の１つ１４８は前端面であり、他方の端面１５０は後端面である。インクスティック本体は、注入成形、射出成形、圧縮成形、又は他の既知の技術により形成することができる。
【００１９】
相変化インク画像形成装置で起こり得る高いインク消費速度のために、インクスティック１００は、前端面１４８と後端面１５０との間にあるインクスティック本体の縦方向長さが、横方向側面１４０間のインクスティック本体の幅及び／又は高さ、及び、上面と底面との間のインクスティック本体の高さのよりも著しく大きいアスペクト比を有する。“より長い”インクスティックの使用は、インク送給システム内の固形インクが補充されなくてはならない頻度を少なくする。インクスティック本体の縦方向長さは、典型的には、供給チャネルの供給方向と実質的に位置合わせされる寸法である。インクスティックの幅及び高さは、長さに対して垂直である。インクスティック本体の長さの、幅及び／又は高さに対する比率は、美観、加工、搭載機の配向、及び／又は機能条件といった多くの要因によるとすることができる。例えば、１つの実施形態では、インクスティックは、インクスティックの長さがインクスティックの幅の少なくとも約１．５倍であるアスペクト比を有するが、インクスティックはどのような好適なアスペクト比をもっていてもよい。
【００２０】
インクスティック本体は、インクスティック本体の最大の水平方向断面の周りで実質的に水平である外側周縁部を有する。側面が実質的に垂直な、図３に図解されるインクスティックの実施形態では、外側周縁部は、インクスティック本体の底面から上面まで実質的に一様である。図３のインクスティック実施形態では、水平方向の外側周縁部は、インクスティック本体の上面１３４と実質的に一致する。インクスティック本体の最も外側の横方向側面部分１４０及び１４４は、インクスティックが供給チャネルに挿入されると、供給チャネルの縦の供給方向Ｆに対して実質的に平行に延びる、縦方向のインクスティック本体の周周縁部セグメントを形成する。本開示を検討した後、当業者であれば、周縁部の最も外側のセグメントは、インクスティック本体の高さに沿って異なる位置に在ってよいことを認識するであろう。横方向側面の１つの上の、周縁部の縦方向セグメントは、他方の横方向側面上の、周縁部の縦方向セグメントと異なる高さであってもよい。
【００２１】
インクスティックは、用いられるときに、インクスティックの正確な搭載、誘導、感知及び支持を助ける多くの特徴を含むことができる。これらの搭載特徴は、インク送給システムの相補的な位置に配置されるキー要素、ガイド、支持体、センサ等と相互作用するためにインクスティック上の異なる位置に配置される、突起及び／又はくぼみを含むことができる。搭載特徴は、挿入特徴又は供給特徴として分類することができる。排他性キーイング要素及び配向要素といった挿入特徴は、搭載ステーションへのインクスティックの正確な挿入を可能にするように構成され、従って、搭載ステーションの挿入方向Ｌと、実質的に位置合わせされる。例として、図３のインクスティックは、挿入キーイング特徴１５４を含む。挿入キーイング特徴は、搭載ステーション５０のキー付き開口部６０と相互作用するように構成されて（図２）、固形インク送給システムの挿入開口部６０を通したインクスティックの挿入を許す又は妨げる。図３のインクスティック実施形態では、キー要素１５４は、搭載ステーションの挿入方向Ｌに対して実質的に平行であるインクスティック本体の側面１４０に形成された、垂直の凹部又はノッチである。キー付き開口部６０の周縁部上にある対応する相補キー（図示せず）は、開口部６０への相補的な突起である。
【００２２】
示されてはいないが、供給チャネルでインクスティックが詰まる可能性を減らし、インクスティックのインク溶融組立体におけるインク溶融機との最適な係合を促進するために、インクスティックは、供給チャネルに沿って移動されるときに、その位置合わせ及び誘導を助ける位置合わせ及び誘導要素といった供給特徴を含むことができる。従って供給特徴は、インクスティック・ガイド及び／又はインク送給システムの支持体と相互作用するために、インク送給システムの供給方向Ｆと実質的に位置合わせされることができる。インクスティックは、搭載のいずれの好適な数及び／又は搭載の配置（すなわち挿入及び／又は供給）特徴を有してもよい。
【００２３】
プリンタの各色は、インクスティックの外側周縁部に１つ又はそれ以上のキー要素の独特な配置を有して、その特定の色のインクスティックのために独特な断面形状を形成することができる。キー・プレートにおけるキー付き開口部とインクスティックのキー付き形状の組み合わせは、適切な色のインクスティックだけが、各供給チャネルに挿入されることを保証する。一組のインクスティックは、各色のインクスティックのための独特なキー特徴配置をもって、各色のインクスティックで形成される。挿入キーイングはまた、プリンタの異なるモデルを対象とするインクスティックを区別するのに用いることもできる。挿入キーの１つの種類は、特定モデルのプリンタの供給チャネルの全キー付き開口部に配置することができる。そのモデルのプリンタを対象とするインクスティックは、対応する挿入キー要素を含む。異なるサイズ、形状、又は位置の挿入キーは、異なるモデルのプリンタの供給チャネルのキー付き開口部に配置することができる。
【００２４】
図３の例示的なインクスティックといった長さ対幅の高アスペクト比を有するインクスティックに組み込まれた機能認識特徴をプリンタのオペレータに提供する必要性に取り組むため、インクスティックの周縁部の一部は、視覚的に認識可能な記号形状１６０の一部を定めるような形にされる。視覚的に認識可能な記号は、オペレータがそのときにインクスティックを特定のキー付き開口部又は供給チャネルと関連付けるのに用いることができる意味をプリンタのオペレータに提供する英数字といった形状である。記号形状は、片側又は両側に組み込むことができる。記号のサイズ、角度、及び形態は、スティックのサイズ及び形状を収容するのに、及び美観問題に取り組むのに、変更することができる。記号形態は、形状を組み込む側面又は両側面からの差し込み又は突出でよく、及び上面からの差し込み又は突出でもよい。プリンタ・オペレータは、記号的意味をもたないキー付き形状を相関させるよりもより容易に、特定の供給チャネルを視覚的に認識可能な記号と相関させることができる。例えば、プリンタ・オペレータは、インクローダのキー・プレートにある対応するキー付き開口部を、インクスティックの中に組み込まれた記号と相関させることができ、或いは、インクスティックの記号を、キー付き開口部に隣接して表示することができる対応する記号と相関させることができる。
【００２５】
視覚的に認識可能な記号形状は、インクスティックの周縁部上の所定の位置に、視覚的に認識可能な記号１６０の形状の一部を定める記号の外形１６４を与えることにより、インクスティックの周縁部に、部分的に組み込むことができる。１つの実施形態では、記号の外形は、インクスティックの横方向の周縁部セグメント（側面１４０、１４４）の１つ又はそれ以上に与えることができる。記号の外形１６４は、底面の方向に、少なくとも部分的に側面に沿って、インクスティックの上面から延びる。図３のインクスティックの側面１４０、１４４は、実質的に互いに対して平行で、上面１３４に対して垂直であるため、記号の外形は、上面から底面へ実質的に一様に延びる。インクスティック本体の側面はまた、インクスティック本体の下方部分が上方部分よりも細くなるように、傾け、分割し、又は段をつけることができ、その場合記号の外形は、底面の方向に部分的に延びるだけでよい。インクスティック本体の外側周縁部がインクスティック本体の垂直方向高さに沿って異なる高さになるように、インクスティック本体の側面が成形されるか、又は、外側周縁部の異なるセグメントがインクスティック本体の垂直方向高さに沿って異なる高さに在る、他の構成も可能である。
【００２６】
図３のインクスティックは、各々が、視覚的に認識可能な番号の記号“１”の周縁部の対向する部分を定める記号の外形１６４を含む。具体的には、左横方向の周縁部セグメントで形成された記号の外形（インクスティックの上から見ると、左の横方向側面１４４により形成される）は、視覚的に認識可能な記号の左側を形成し、右横方向周縁部セグメントに形成された記号の外形（右の横方向側面１４０により形成される）は、視覚的に認識可能な記号の右側を形成する。記号の外形１６４は、それぞれの周縁部セグメント上で互いに実質的に正反対に表されるが、対向する記号の外形は、外形が、視覚的に認識可能な記号の望ましい形状と一致する限り、互いにずらしてもよい。片側の記号の外形は、視覚認識専用に用いることができ、対向する記号の外形は、キーイング（キー外形）、特定的には色キーイングのために、付加的に用いることができる。
【００２７】
視認性をさらに強化するために、記号の視覚認識は、インクスティックの上面に、視覚的に認識可能な記号形状の周縁部の残りの部分のアウトライン１６８を与えることにより、強化することができる。例えば、線、溝、段、ノッチ、傾斜、差し込み、突出部又は他の対照的な特徴をインクスティックの上面に組み込んで、視覚的に認識可能な記号形状の周縁部の残りの部分を定めることができる。視覚的に認識可能な記号はまた、ユーザに三次元として見られるように、垂直方向の寸法で形成することもできる。上面に、記号形状の周縁部の残りの部分を与えるために、あらゆる好適な方法又は装置を用いてもよい。例えば、記号の視覚認識は、インクスティック本体の上面をエンボス加工、デボス加工、或いはテクスチャ化することにより、強化することができる。エンボス加工又はデボス加工の代替として、記号形状の残りの部分は、スタンプ加工、シルクスクリーン加工、塗装加工、エッチング加工、レーザー・マーク加工、或いは何らかの好適な様式でインクスティック上に形成することができる。しかしながら代替的な実施形態では、記号の残りの周縁部分は、上面からなくしてもよい。
【００２８】
図３の実施形態では、記号の外形は、最大限でそれぞれの側面の長さに沿って（インクスティックの縦方向の寸法に）部分的に延びる。インクスティックの長さに沿って部分的にのみ延びる記号の外形を与えることにより、視覚的に認識可能な記号を、記号の識別を容易にするアスペクト比で、インクスティックに組み込むことができる。加えて、インクスティックの全側面、又はインクスティックの周縁部の全て又はほとんどを包含しないインクスティックの周縁部の部分に記号の外形を与えることにより、視覚識別及び供給チャネル相関の利点を維持し、インクスティックの周縁部のほとんどを、キー要素、配向特徴等の非記号的特徴に用いられるようすることができる。例えば図３に示されるように、記号の外形をもたない横方向の周縁部セグメントの残りの部分は、前及び後の周縁部セグメントと同様に、非記号的キー要素の組み込みに用いることができる。ここで用いられるキー要素の外形といった非記号的特徴は、視覚的に認識可能な記号形状の周縁部を形成することに寄与しない。
【００２９】
一組のインクスティック内の各インクスティック（例えばイエロー、シアン、マゼンタ、ブラック）は、異なる視覚的に認識可能な記号で形成することができる。各色は、インクローダの供給チャネルの１つに対応する。図４は、その組の各インクスティック又はインクスティックの各色が、連続番号の形態、すなわち“１”、“２”、“３”及び“４”で視覚的に認識可能な記号１６０Ａ、１６０Ｂ、１６０Ｃ、１６０Ｄを有する一組のインクスティック１００Ａ、１００Ｂ、１００Ｃ、１００Ｄを示す。
【００３０】
プリンタ・オペレータに、オペレータがインクスティックを特定の製品、キー付き開口部又は供給チャネルと関連付けるときに用いることができる意味を与えることができるあらゆる視覚的に認識可能な記号形状を用いることができる。例えば、視覚的に認識可能な記号８０は、インクスティックの色を示す文字（すなわちシアンに“Ｃ”、マゼンタに“Ｍ”、イエローに“Ｙ”、ブラックに“Ｋ”）とすることができる。図５を参照すると、一組のインクスティック１００Ｅ、１００Ｆ、１００Ｇ、１００Ｈは、視覚的に認識可能なアルファベット文字１６０Ｅ、１６０Ｆ、１６０Ｇ、１６０Ｈを形成する記号の外形を有する。表される特定の組では、アルファベット文字は“Ｃ”、“Ｙ”、“Ｍ”、及び“Ｋ”であり、プリンタ・オペレータは、インクＣをシアン、Ｙをイエロー、Ｍをマゼンタ、Ｋをブラックに関連付ける。記号の外形はまた、モデル又は色のキーイング機能を提供し、他のキー特徴を増強するため、又は付加的な特徴を除いて用いられるようにそうすることができる。一組のスティックは、例えば“Ａ”のような共通の記号の外形構成を、所与の製品モデルにおいてそれらスティックの使用を区別するために有することができ、非記号的な色のキーイング特徴は独立して与えられる。この場合、異なるモデルに対する第２の組のスティックは、同じ非記号的な色のキーイング特徴を採用できるが、例えば“Ｂ”のような異なる記号形状を有する。
【００３１】
視覚的に認識可能な記号１６０の周縁部の対向する部分を定めるために、インクスティック本体の両側に記号外形１６４を用いることに対する代替として、記号外形をインクスティックの片側に形成してもよい。記号外形は、インクスティックのどちら側に形成してもよい。例えば、図６は、視覚的に認識可能な記号１６０Ｊ、１６０Ｋ、１６０Ｌ、１６０Ｍの周縁部の一部を定める記号外形１７０Ｊ、１７０Ｋ、１７０Ｌ、１７０Ｍが、左横方向の周縁部セグメントに形成される一組のインクスティック１００Ｊ、１００Ｋ、１００Ｌ、１００Ｍを表す。図４と同様に、各インクスティックは、連続番号の形態、すなわち“１”、“２”、“３”、及び“４”で視覚的に認識可能な記号を有する。視覚的に認識可能な記号形状の周縁部の残りの部分１７４Ｊ、１７４Ｋ、１７４Ｌ、１７４Ｍのアウトラインを、インクスティックの上面に形成して、記号の認識を強化することができる。
【００３２】
視覚的に認識可能な記号形状の部分を定める記号の外形は、インクスティックの側面に沿った実質的にあらゆる場所に配置することができる。例えば、図７は、視覚的に認識可能な記号形状１６０の周縁部の一部を定める記号の外形１６４が、インクスティックの縦方向軸又は長さ寸法Ｌに沿って異なる位置に形成された一組のインクスティックを示す。インクスティック１００Ｎは、インクスティックの縦方向軸Ｌに沿った第１の位置Ａに対応する横方向の周縁部セグメント上の位置に、記号の外形１６４Ｎを含む。同様に、インクスティック１００Ｐ、１００Ｑ、及び１００Ｒは各々、縦方向軸Ｌに沿った第２のＢ、第３のＣ、及び第４のＤ位置に対応する、横方向の周縁部セグメント上の位置に、１６４Ｐ、１６４Ｑ、１６４Ｒを含む。インクスティックの縦方向軸に沿った記号の外形の位置は、一組のインクスティックにおけるインクスティックの色の間でさらに区別するのに用いることができ、或いは、異なる印刷プラットフォームが意図されるインクスティック間で区別するのに用いることができる。例えば、第１のプリンタ・モデルが意図される一組のインクスティックは、インクスティックの縦方向軸に沿った第１の位置に、視覚的に認識可能な記号を含むことができ、第２のプリンタ・モデルが意図される一組のインクスティックは、インクスティックの縦方向軸に沿った第２の位置に、視覚的に認識可能な記号を含むことができる。
【００３３】
１つより多い視覚的に認識可能な記号は、スティックの１つ又はそれ以上の表面に置かれた多数の記号の外形を用いて、インクスティックに組み込むことができる。１つのインクスティックに組み込まれた多数の視覚的に認識可能な記号は、同じでも異なってもよい。この手法は、広範な一連の区別を可能にする記号形状の変形の範囲を大いに拡張できるようにする。例として、視覚的に認識可能な記号１Ａ、１Ｂ、１Ｃ．．．；２Ａ、２Ｂ、２Ｃ．．．等をインクスティックを区別するのに用いることができる。図８は、各々が、それぞれのインクスティックの異なる表面上又は表面の異なる区分上に多数の記号の外形を含み、各インクスティックに多数の視覚的に認識可能な記号の周縁部の部分を形成するインクスティック１００Ｘ、１００Ｙ、１００Ｚの実施形態を表す。例えば、インクスティック１００Ｘは、縦方向軸Ｌに沿って第１の位置に、視覚的に認識可能な記号“１”の周縁部の対向する部分を形成する記号の外形１８４Ｘと、縦方向軸Ｌに沿って第２の位置に、視覚的に認識可能な記号の周縁部の対向する部分を形成する記号の外形１８８Ｘとを含む。同様に、インクスティック１００Ｙの記号の外形１８４Ｙは視覚的に認識可能な記号“２”の周縁部の部分を形成し、記号の外形１８８Ｙは記号“Ｂ”の周縁部の部分を形成する。インクスティック１００Ｚは、視覚的に認識可能な記号“３”及び“Ｃ”の周縁部の部分を形成する記号の外形１８４Ｚ及び１８８Ｚをそれぞれ含む。
【００３４】
プリンタ・オペレータがインクスティックを特定の製品、キー付き開口部又は供給チャネルと関連付けるのをさらに助けるため、視覚的に認識可能な記号形状を、キー付き開口部に隣接するハウジングに適用、又はその中に形成することができる。この視覚的に認識可能な記号は、プリンタ・ユーザが、特定のキー付き開口部とそれらの対応する供給チャネルを識別するのを助ける。例えば図９は、ユーザが、インクスティックを特定のキー付き開口部又は供給チャネルと関連付けるのをさらに助けるための記号１８０を含む、挿入ステーション４８の実施形態を表す。図９の実施形態では、挿入ステーション４８の挿入開口部６０Ｓ、６０Ｔ、６０Ｖ及び６０Ｗに挿入されるように構成された４つのインクスティック１００Ｓ、１００Ｔ、１００Ｖ及び１００Ｗが表される。表されるように、インクスティック１００は、各々、開口部６０の挿入キー２０８に対応するようにインクスティック上に置かれる挿入キーイング要素１５４を含む。インクスティックは、各々、図４及び図６に表されるインクスティックの組といった連続番号を含む、異なる視覚的に認識可能な記号１６０を含む。インクスティックが正確な挿入開口部を通して挿入されることを保証するのをさらに補助するために、挿入ステーション４８は、各開口部６０に隣接して置かれる相補的記号１８０を含む。相補的記号は、プリンタ・オペレータに意味を伝達することができるあらゆる適切なマーク、記号等とすることができる。従って、プリンタ・オペレータは、インクスティックの記号をキー・プレートの対応するキー付き開口部と相関させることによるか、又は、インクスティックの記号をキー付き開口部に隣接して表示される対応する記号と相関させることによるいずれかで、インクスティックを、プリンタの特定の開口部又は供給チャネルと関連付けることができる。
【００３５】
必ずではないが、インクスティックに形成された記号の外形は、搭載ステーションのキー付き開口部６０に組み込んで、インクスティックを区別するためのキーイング機構を提供することができる。例えば、搭載ステーションのキー付き開口部は、各々、開口部６０の周縁部おける相補的な位置に形成された相補的記号の外形１８４を含む。図９で提案されるように、記号の外形はキーイングに用いることができ、従ってキーの外形であり、それらは、インクスティックの周縁部全般に対して、差し込まれる、突出する、又は組み合わされることができる。しかしながら代替的な実施形態では、インクスティック及び／又は開口部６０上の記号の外形は、インクスティックの記号の外形が、キーイングの区別に対する寄与が最小であるように又は全く寄与しないように、与えることができる。例えば、記号の外形は、インクスティックの側面に差し込まれるように、又は側面から最小に突出するように与えて、対応する挿入開口部領域は、相補的形状を成さなくてもよくなるようにすることができる。
【符号の説明】
【００３６】
１０：画像形成装置
４８：送給システム
５０：搭載ステーション
５４：溶融ステーション
６０：キー付き開口部
１００：固形インクスティック
【図１】
0004927885.tif 000002
【図２】
0004927885.tif 000003
【図３】
0004927885.tif 000004
【図４】
0004927885.tif 000005
【図５】
0004927885.tif 000006
【図６】
0004927885.tif 000007
【図７】
0004927885.tif 000008
【図８】
0004927885.tif 000009
【図９】
0004927885.tif 000010